(57)【要約】【課題】  大規模な栽培事業設備において、全ての栽培作物を均一に冷暖房し得る省電力の空調システムを提供する。【解決手段】  多数の栽培作物１１が植栽された長尺な栽培ベッド１２と、その栽培ベッド１２の基端側に配置された空調機１３と、その空調機１３から栽培ベッド１２に沿って延びるように配設された吹出ダクト１４とを備え、空調機１３からの冷温風を吹出ダクト１４に圧送して吹出ダクト１４から栽培作物１１の株元部２２に供給する空調システムであって、栽培作物１１の株元部２２に供給された冷温風を空調機１３に回収する長尺な吸込ダクト１５を、栽培ベッド１２に沿って吹出ダクト１４に並設する。【選択図】    図１
2018093760.tif 000002
【特許請求の範囲】
【請求項１】
多数の栽培作物が植栽された長尺な栽培ベッドと、前記栽培ベッドの基端側に配置された空調機と、前記空調機から栽培ベッドに沿って延びるように配設された吹出ダクトとを備え、空調機からの冷温風を吹出ダクトに圧送して前記吹出ダクトから栽培作物に供給する空調システムであって、
前記栽培作物に供給された冷温風を空調機に回収する長尺な吸込ダクトを、前記栽培ベッドに沿って前記吹出ダクトに並設したことを特徴とする空調システム。
【請求項２】
前記吹出ダクトにその長手方向に沿って設けられた複数の吹出孔と、前記吸込ダクトにその長手方向に沿って設けられた複数の吸込孔のうち、少なくとも一方の孔のダクト単位長さ当りの開口面積を、前記栽培ベッドの基端側から先端側へ向けて大きくなるように構成した請求項１に記載の空調システム。
【請求項３】
前記吹出ダクトに圧送される冷温風に炭酸ガスを含有させた請求項１又は２に記載の空調システム。
【発明の詳細な説明】
【技術分野】
【０００１】
本発明は、温室において栽培される作物に冷温風を供給することにより、栽培作物の収穫時期を調整可能とする栽培作物用の空調システムに関する。
【背景技術】
【０００２】
例えば、低温性栽培作物である一般的な種類のイチゴは、ビニルハウス等の温室栽培において、その収穫時期が１１月〜５月と限られている。
【０００３】
一方、温室内の栽培作物に冷風を供給することにより、栽培作物の花芽分化を促進させることで、栽培作物の収穫時期を１０月〜７月程度へ拡張することが可能となっている。
【０００４】
このような温室栽培において、栽培作物に冷温風を供給する手段として、空調機により温室全体を冷暖房する空調システムがある。
【０００５】
しかしながら、温室全体を冷暖房する空調システムでは、夏季の昼間での栽培作物の冷却効果を期待することが困難であり、冷暖房のエネルギーコストが大きくなる。
【０００６】
従来では、栽培作物の株元部（クラウン）のみに冷温風を供給することにより、栽培作物の株元部を局所的に冷暖房する空調システムが提案されている（例えば、特許文献１参照）。
【０００７】
この特許文献１で開示された空調システムは、ビニルハウス内に高設ベンチを設置し、その高設ベンチに支持された鉢の栽培作物（イチゴ）に冷風を供給する空気調和装置をビニルハウスに付設したものである。
【０００８】
この空調システムでは、空気調和装置から供給される冷風をダクトに圧送し、そのダクトの吹出口からフィルム部材の内部空間に冷風を吹き出させ、栽培作物（イチゴ）の生長点である株元部に冷風を供給するようにしている。
【０００９】
このような冷風の供給により、栽培作物（イチゴ）の生長を促進するようにしている。そして、栽培作物の株元部に供給された冷風は、フィルム部材の開口部から外部（ビニルハウス内）に流出する。
【先行技術文献】
【特許文献】
【００１０】
【特許文献１】特開２０１０−２２７０５３号公報
【発明の概要】
【発明が解決しようとする課題】
【００１１】
ところで、特許文献１に開示された空調システムは、ビニルハウス内に長尺な高設ベンチを設置し、その高設ベンチの長手方向に沿って吹出ダクトを配設した構造を具備する。
【００１２】
また、吹出ダクトの基端側には空気調和装置の吹出部が接続され、必要な冷風の全量が供給される。
【００１３】
ここで、大規模な栽培事業設備のビニルハウスの場合、ダクトの長さが数十メートルとなることがある。空気調和装置から離隔する吹出ダクトの先端側では、空気調和装置から非常に遠いことから、空気調和装置の能力を増大させる必要があり、その消費電力が増大することになる。
【００１４】
また、この吹出ダクトに相当の圧力損失が生じることを考慮する場合、空気調和装置から離隔する吹出ダクトの先端側では、空気調和装置から非常に遠いことからその間に大きな圧力損失を生じ、吹出ダクトの吹出口から吹き出す冷風が少なくなる。そのため、高設ベンチの長手方向で均一な冷却が困難となり、栽培作物の生長にバラツキが発生することになる。
【００１５】
つまり、大規模な栽培事業設備のビニルハウスでは、そのビニルハウスに付設する空気調和装置で長尺な吹出ダクトに冷風を圧送し、高設ベンチの基端部から先端部に亘って十分に一様な冷却を行うためには、空気調和装置の能力を増大させる必要がある。その結果、空気調和装置が大型化すると共に、空気調和装置の消費電力が増大することになる。
【００１６】
そこで、本発明は前述の課題に鑑みて提案されたもので、その目的とするところは、大規模な栽培事業設備において、全ての栽培作物を均一に冷暖房し得る省電力の空調システムを提供することにある。
【課題を解決するための手段】
【００１７】
本発明に係る空調システムは、多数の栽培作物が植栽された長尺な栽培ベッドと、その栽培ベッドの基端側に配置された空調機と、その空調機から栽培ベッドに沿って延びるように配設された吹出ダクトとを備え、空調機からの冷温風を吹出ダクトに圧送して吹出ダクトから栽培作物の近傍に供給する構造を具備する。
【００１８】
前述の目的を達成するための技術的手段として、本発明の空調システムは、栽培作物の近傍に供給された冷温風を空調機に回収する長尺な吸込ダクトを、栽培ベッドに沿って吹出ダクトに並設したことを特徴とする。
【００１９】
本発明の空調システムでは、既存の吹出ダクトに加えて吸込ダクトを新たに設けたことにより、吹出ダクトから栽培作物の近傍に供給された冷温風を吸引して吸込ダクトにより空調機に回収する。
【００２０】
このように、空調機に冷温風の一部を回収することで必要な空調機の能力を低減できて空調機の大型化を回避することができると共に、空調機の消費電力の増大を抑制することができる。
【００２１】
また、大規模な栽培事業設備において、空調機の近傍に位置する吹出ダクトの基端側と空調機から離隔する吹出ダクトの先端側との間で吹出量の分布を調整することにより、各々の栽培作物の近傍に供給される冷温風を同等量にすることが可能となる。その結果、全ての栽培作物に冷温風を均一に供給することができる。
【００２２】
本発明において、吹出ダクトにその長さ方向に沿って設けられた複数の吹出孔と、吸込ダクトにその長さ方向に沿って設けられた複数の吸込孔のうち、少なくとも一方の孔のダクト単位長さ当りの開口面積を、栽培ベッドの基端側から先端側へ向けて大きくなるように構成することが望ましい。
【００２３】
このような構成を採用すれば、特に吸込ダクトにおいて有効である。つまり、吸込ダクトにおける圧力損失を考慮することで、大規模な栽培事業設備において、空調機の近傍に位置する吸込ダクトの基端側と空調機から離隔する吸込ダクトの先端側との間で、冷温風の吹出風量のばらつきが大きく、それを緩和するのに効果的である。
【００２４】
本発明において、吹出ダクトに圧送される冷温風に炭酸ガスを含有させた構成とすることが望ましい。
【００２５】
このような構成を採用すれば、栽培作物に冷温風と共に炭酸ガスを効率よく供給または回収することができるので、栽培作物の光合成を促進させることが容易となる。
【発明の効果】
【００２６】
本発明によれば、吹出ダクトに加えて吸込ダクトを設けたことにより、吹出ダクトから栽培作物の近傍に供給された冷温風を吸引して吸込ダクトにより空調機に回収する。このように、空調機に冷温風の一部を回収することで必要な空調機の能力を低減できると共に、空調機の消費電力の増大を抑制することができる。
【００２７】
このことから、大規模な栽培事業設備において、空調機の近傍に位置する吹出ダクトの基端側と空調機から離隔する吹出ダクトの先端側とで、栽培作物の近傍に供給される冷温風を同等量にすることが可能となる。
【００２８】
その結果、全ての栽培作物に冷温風を均一に供給することができる。また、空調機の大型化を回避することができると共に、空調機の消費電力の増大を抑制することができる。
【図面の簡単な説明】
【００２９】
【図１】本発明の実施形態で、空調システムの概略構成を示す模式図である。
【図２】図１のＰ−Ｐ線に沿う断面図である。
【図３】栽培温室内に設置した空調システムの全体構成を示す平面図である。
【図４】（Ａ）は吹出孔の間隔を一定とした場合の吹出風量およびダクト圧力分布を示す特性図、（Ｂ）は吹出孔の間隔を異ならせた場合の吹出風量およびダクト圧力分布を示す特性図である。
【図５】（Ａ）は吸込孔の間隔を一定とした場合の吸込風量およびダクト圧力分布を示す特性図、（Ｂ）は吸込孔の間隔を異ならせた場合の吸込風量およびダクト圧力分布を示す特性図である。
【発明を実施するための形態】
【００３０】
本発明に係る空調システムの実施形態を図面に基づいて以下に詳述する。
【００３１】
例えば、イチゴ等の低温性栽培作物は、ビニルハウス等の一般的な温室栽培において、その収穫時期が１１月〜５月と限られている。
【００３２】
一方、温室内の栽培作物に冷風を供給することにより、栽培作物の花芽分化を促進させることで、栽培作物の収穫時期を１０月〜７月程度へ拡張することが可能となっている。
【００３３】
このような温室栽培において、栽培作物の冷温風を供給する手段として、栽培作物の近傍に冷温風を供給することにより、栽培作物を局所的に冷暖房する空調システムがある。
【００３４】
この実施形態の空調システムは、図１および図２に示すように、多数の栽培作物１１（イチゴ）が植栽された長尺な栽培ベッド１２と、その栽培ベッド１２の基端側に配置されたヒートポンプ等の空調機１３と、その空調機１３から栽培ベッド１２に沿って延びるように配設された吹出ダクト１４と、栽培ベッド１２に沿って吹出ダクト１４に並設された長尺な吸込ダクト１５とを備えている。
【００３５】
この空調システムでは、空調機１３からの冷温風（図２の黒矢印参照）を吹出ダクト１４に圧送して吹出ダクト１４から栽培作物１１の近傍に供給すると共に、栽培作物１１の近傍に供給された冷温風（図２の白矢印参照）を吸込ダクト１５で空調機１３に回収する。
【００３６】
具体的には、栽培ベッド１２の下方に吹出ダクト１４を配設し、その吹出ダクト１４の下方に吸込ダクト１５を配設している。これら吹出ダクト１４および吸込ダクト１５には、その長手方向に沿って複数の吹出孔１６および吸込孔１７が設けられている。
【００３７】
この実施形態では、吹出ダクト１４および吸込ダクト１５に２列の吹出孔１６および吸込孔１７を設けた場合を例示しているが、吹出孔１６および吸込孔１７は、２列以外の１列あるいは３列以上であってもよい。
【００３８】
なお、図２に示すように、２列（図示左右）の吹出孔１６および吸込孔１７とすれば、吹出ダクト１４および吸込ダクト１５の上方に位置する栽培ベッド１４の左右に沿って冷温風を吹き出したり吸い込んだりすることができる。
【００３９】
この実施形態の空調システムでは、吹出ダクト１４により空調機１３からの冷温風（図２の黒矢印参照）を栽培ベッド１２に植栽された栽培作物１１に供給できるように、栽培ベッド１２および吹出ダクト１４を囲撓するようにビニルシート等からなる内側フィルム部材１８が設けられている。この内側フィルム部材１８の栽培作物１１の近傍には、冷温風が吹き出される開口部１９を形成されている。
【００４０】
さらに、栽培ベッド１２の栽培作物１１に供給された冷温風（図２の白矢印参照）を吸引して吸込ダクト１５により空調機１３に回収できるように、内側フィルム部材１８の外側には、内側フィルム部材１８および吸込ダクト１５を囲撓するようにビニルシート等からなる外側フィルム部材２０が設けられている。この外側フィルム部材２０は、栽培ベッド１２の上方で開放している。
【００４１】
この空調システムは、図３に示すように、大規模な栽培事業設備としての栽培温室２１に設置される。この栽培温室２１には、例えば数十メートル程度の長さを有する複数の栽培ベッド１２（図示上下方向に６列、図示左右方向に２列）が収容されている。また、上下方向６列分の栽培ベッド１２に冷温風を供給および回収する２台の空調機１３が設置されている。冷温風の供給は黒矢印で示し、冷温風の回収は白矢印で示す。
【００４２】
なお、図３では、栽培作物１１、吹出ダクト１４、吸込ダクト１５、内側フィルム部材１８および外側フィルム部材２０を省略し、栽培ベッド１２のみを示している。
【００４３】
以上の構成からなる空調システムにおいて、空調機１３の冷温風による栽培作物１１の冷暖房を以下に詳述する。
【００４４】
まず、空調機１３から吹出ダクト１４に冷温風を供給する。この空調機１３からの冷温風を吹出ダクト１４に圧送し、その吹出ダクト１４の吹出孔１６から内側フィルム部材１８の内部空間に流出させる。この内側フィルム部材１８の内部空間では、吹出ダクト１４の吹出孔１６から流出した冷温風が、栽培ベッド１２を迂回して上方へ流れ、栽培ベッド１２に植栽された栽培作物１１の株元部２２に供給される。
【００４５】
栽培作物１１の株元部２２に供給された冷温風は、内側フィルム部材１８の開口部１９から流出し、空調機１３および吸込ダクト１５からの吸引力により内側フィルム部材１８と外側フィルム部材２０との間を流下し、吸込ダクト１５の吸込孔１７から吸い込まれる。吸込孔１７から吸い込まれた冷温風は、吸込ダクト１５に圧送され、空調機１３に回収される。
【００４６】
このようにして、空調システムでは、既存の吹出ダクト１４に加えて吸込ダクト１５を新たに設けたことにより、吹出ダクト１４から栽培作物１１の株元部２２に供給された冷温風を吸引して吸込ダクト１５により空調機１３に回収することで、吹出ダクト１４から栽培作物１１の株元部２２、吸込ダクト１５を経由して空調機１３に冷温風が回収される。
【００４７】
このことから、大規模な栽培事業設備において、空調機１３に冷温風の一部を回収することで必要な空調機１３の能力を低減できて空調機１３の大型化を回避することができると共に、空調機１３の消費電力の増大を抑制することができる。
【００４８】
また、空調機１３の近傍に位置する吹出ダクト１４の基端側と空調機１３から離隔する吹出ダクト１４の先端側との間で吹出量の分布を調整することにより、栽培ベッド１２に植栽された全ての栽培作物１１に冷温風を均一に供給することができる。
【００４９】
この空調システムでは、吹出ダクト１４にその長手方向に沿って設けられた複数の吹出孔１６と、吸込ダクト１５にその長手方向に沿って設けられた複数の吸込孔１７について、ダクト単位長さ当りの開口面積を、栽培ベッド１２の基端側から先端側へ向けて大きくなるように構成することが有効である。
【００５０】
この実施形態の空調システムでは、吹出ダクト１４の吹出孔１６および吸込ダクト１５の吸込孔１７について、ダクトの基端側で隣接する吹出孔１６および吸込孔１７の間隔を大きくし、ダクトの先端側で隣接する吹出孔１６および吸込孔１７の間隔を小さくする。この時、吹出孔１６および吸込孔１７の孔径は同一としている。以下、本出願人が行った比較試算例を詳述する。
【００５１】
図４（Ａ）（Ｂ）は吹出ダクト１４に関するもので、（Ａ）は吹出孔１６の間隔を一定（１０個／ｍ）とした時の吹出風量（ダクト１ｍ当り）およびダクト圧力分布を示す比較例で、（Ｂ）は吹出孔１６の間隔を異ならせた（０〜１０ｍ：５個／ｍ、１０〜２０ｍ：７．５個／ｍ、２０〜４０ｍ：１０個／ｍ）時の吹出風量およびダクト圧力分布を示す実施例である。
【００５２】
なお、吹出ダクト１４の全長を４０ｍ、ダクト径を２００ｍｍとし、吹出孔１６の孔径を２０ｍｍとしている。また、管摩擦係数（圧力損失）を実測より０．０２としている。
【００５３】
図５（Ａ）（Ｂ）は吸込ダクト１５に関するもので、（Ａ）は吸込孔１７の間隔を一定（１０個／ｍ）とした時の吸込風量（ダクト１ｍ当り）およびダクト圧力分布を示す比較例で、（Ｂ）は吸込孔１７の間隔を異ならせた（０〜１５ｍ：５個／ｍ、１５〜２５ｍ：７．５個／ｍ、２５〜４０ｍ：１０個／ｍ）時の吸込風量およびダクト圧力分布を示す実施例である。
【００５４】
なお、吸込ダクト１５の全長を４０ｍ、ダクト径を２００ｍｍとし、吸込孔１７の孔径を２０ｍｍとしている。また、管摩擦係数（圧力損失）を実測より０．０２としている。
【００５５】
比較例では、吹出ダクト１４および吸込ダクト１５の基端側（空調機１３に近接する部位）では、冷温風の速度が大きいことから、動圧（運動エネルギー）が大きい。
【００５６】
これに対して、吹出ダクト１４および吸込ダクト１５の先端側（空調機１３から離隔する部位）では、冷温風の速度が小さくなることから、動圧（運動エネルギー）が小さくなる。なお、ダクト圧力は、吹出ダクト１４の場合は正圧であり、吸込ダクト１５の場合は負圧である。
【００５７】
仮に、ダクトの圧力損失がないとすると、ベルヌーイの法則（全圧＝動圧＋静圧＝一定）から、ダクト内の静圧の絶対値は、吹出ダクト１４および吸込ダクト１５の基端側から先端側に向けて漸増することになる。
【００５８】
その場合、この静圧に基づいて吹出風量が決まることから、吹出孔１６および吸込孔１７の間隔を一定であると、吹出風量も、吹出ダクト１４および吸込ダクト１５の基端側から先端側に向けて単調に漸増する。
【００５９】
これに対して、比較例では、ダクトの基端側から先端側に向けて圧力損失による全圧の低下が支配的となり、図４（Ａ）および図５（Ａ）に示すように、ダクト圧力分布は、静圧が吹出ダクト１４および吸込ダクト１５の基端側から先端側に向けて漸減する。
【００６０】
しかしながら、実施例では、ダクトの基端側で隣接する吹出孔１６および吸込孔１７の間隔を大きくし、ダクトの先端側で隣接する吹出孔１６および吸込孔１７の間隔を小さくするように吹出孔１６および吸込孔１７の間隔を異ならせていることから、吹出風量は、図４（Ｂ）および図５（Ｂ）に示すように、吹出ダクト１４および吸込ダクト１５の基端側から先端側に向けて単調に漸減することなく、ある程度の範囲で一定に保持することができる。
【００６１】
以上のように、ダクトの基端側で隣接する吹出孔１６および吸込孔１７の間隔を大きくし、ダクトの先端側で隣接する吹出孔１６および吸込孔１７の間隔を小さくするように吹出孔１６および吸込孔１７の間隔を異ならせる構成は、特に、大きなばらつきが生じる吸込ダクト１５において有効である。これは、吹出ダクト１４では基端部から先端部にかけて漸減する動圧による圧力低下の効果が圧力損失の効果を打ち消しあうのに対し、吸込ダクト１５では双方とも基端部ほど同じ方向に作用するためである。
【００６２】
つまり、吹出ダクト１４における管摩擦係数（圧力損失）を考慮することで、ダクトの基端側で隣接する吹出孔１６の間隔を大きくし、ダクトの先端側で隣接する吹出孔１６の間隔を小さくするように構成すれば、大規模な栽培事業設備において、空調機１３の近傍に位置する吹出ダクト１４の基端側と空調機１３から離隔する吹出ダクト１４の先端側とで、栽培作物１１の株元部２２に供給される冷温風が同等量となることが示された。
【００６３】
以上で説明した実施形態では、空調機１３により冷温風を供給する場合について説明したが、この空調機１３により供給する冷温風に炭酸ガス（ＣＯ2）を含有させることも有効な手段である。
【００６４】
このように、空調機１３から吹出ダクト１４に圧送される冷温風に炭酸ガスを含有させれば、栽培作物１１の近傍に効率よく冷温風と共に炭酸ガスを供給または回収することができるので、栽培作物１１の光合成を促進させることが容易となる。
【００６５】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００６６】
１１  栽培作物
１２  栽培ベッド
１３  空調機
１４  吹出ダクト
１５  吸込ダクト
１６  吹出孔
１７  吸込孔
【図１】
2018093760.tif 000003
【図２】
2018093760.tif 000004
【図３】
2018093760.tif 000005
【図４】
2018093760.tif 000006
【図５】
2018093760.tif 000007